(57)【要約】【課題】  海浜の日陰用パラソルまたは花の防雨、防霜などのパラソルにおいて、多少の風では、主柱(ポール)が転倒しないパラソルを提供する。【解決手段】 上記の課題を解決する手段として、主柱(ポール)に、複数個の吊り下げ腕支部材400-1を付けた鉤部材300を回転及びスライド可能に軸着し、その吊り下げ腕支部材400-1に傘を複数個付けることで、その傘に多少の風が当たっても、その風は分散して傘にあたり、ゆらゆらと動く、また、冬季に降雪があっても、傘がゆらゆらと動くため、傘の上へ積雪があっても、積雪を最小限に止めることができる、このことによって主柱(ポール)が風によって転倒したりすることを解決する。【選択図】図2
0003130950.tif 000002
【実用新案登録請求の範囲】
【請求項１】
一本の主柱に複数個の傘を設けたことを特徴とするパラソル。
【請求項２】
上記主柱は、複数個に分割されたパイプが各パイプに挿入可能にし、伸縮可能にしたことを特徴とする請求項1のパラソル。
【請求項３】
さらに、上記の主柱には、複数個の吊り下げ腕支部材400-1を付けた鉤部材３00を回転及びスライド可能に軸着したことを特徴とする請求項1及び請求項2のパラソル。
【請求項４】
上記伸縮可能な吊り下げ腕支部材400-1の先端部位には吊り下げ溝400-2が切り込まれていることを特徴とする請求項1及び請求項2、請求項3のパラソル。
【請求項５】
傘部は、リング1と布部2及び吊下げ支持板3によって構成されていて、したがって一般的な傘と違い、骨のない傘を特徴とする請求項1及び請求項2、請求項3、請求項4のパラソル。
【考案の詳細な説明】
【技術分野】
【０００１】
本考案は、海浜での日除け、及び花木の日射防止、防霜、防雪、防雨に使用するパラソルに関するものである。
【背景技術】
【０００２】
従来、海辺で使用されているパラソルは、長い中棒に大きな傘を一つ取り付けたものが多く見られた。
【０００３】
屋外で栽培している花木の防寒、日射防止などには、寒冷防護ネットや日射防止ネットを使用するのが一般的であったが、一般家庭での小規模栽培などでは、古い傘で間に合わせていることが多い。
【０００４】
【特許文献１】特開2000-287560号公報
【０００５】
【特許文献２】特開2002-058362号公報
【考案の開示】
【考案が解決しようとする課題】
【０００６】
従来、海辺で使用されているパラソルは、１本の長い中棒に大きな傘を取り付け、中棒を地中に埋め込むか、中棒を支持する支持台で支持していたが、傘部分が大きいため、少し大きめの風が吹いても、中棒が倒れ、危険であり、多少の風が吹いても転倒しないパラソルを提供することを課題とする。
【０００７】
一般家庭での屋外ガーデニングの花木の防寒、日除け、防雨では、防寒ネットや日除ネ
ットを張り巡らすほどの面積もないような栽培の場合、従来は、使い古しの傘などを使用
し、日除けや霜除け、積雪などに対応していたが、支持が悪かったりすると、少しの風で
も転倒したりしていた、そのため折角咲いた花を枯らしたりしていた。
このようなことから花木を守るために、花木専用の日除け、霜除け、雨除け用のパラソル
を提供することを課題とした。
【課題を解決するための手段】
【０００８】
上記課題を解決するため、本考案では次のような手段で行う。
まず、第一に、ポール(主柱)200は、3~4本のパイプを各々パイプの中に挿入する方法で伸縮可能なポール(主柱)とする。
【０００９】
また、そのポール(主柱)200には、複数個の吊り下げ腕支部材400-1を付けた鉤部材300を回転及びスライド可能に軸着する。
【００１０】
さらに、その伸縮可能な吊り下げ腕支部材400-1の先端部位には吊り下げ溝400-2が切り込まれている。
【００１１】
その複数個の吊り下げ溝400-2に複数個の傘600をぶら下げることによって、風は複数
個の傘に分散され、ポール(主柱)200が転倒することを防止することができる。
【００１２】
項番0007番の解決手段としては、方法は、上記の解決手段で解決するが、従来の傘と違い、傘600の大きさを小さいものにすることによって解決できる。
【考案の効果】
【００１３】
ポール(主柱)200は、伸縮が可能のため、車のトランクに簡単に積み込みできて、移動などが便利である。        
【００１４】
海浜では、強い風が吹いても、パラソル600を複数個つけることで、風圧を和らげ、風
でポール(主柱)200が倒れる危険性がない。
【００１５】
海浜では、カラフルな色のパラソル600が複数個あるため、他の海浜パラソルと見分けができ、仲間や家族の目印にもなる。
【００１６】
ポール(主柱)200、吊下げ腕部材400は、伸縮、スライドが可能なため、花の位置にあわせて、高さ、位置などを合わせることが可能である。
【００１７】
パラソル600は、カラフルな色、大きさで、花の数だけパラソルをつけることができる。
【考案を実施するための最良の形態】
【００１８】
実施するための最良の形態を図によって説明する。
図4は、傘部600の平面図であるが、図に示すとおり、この傘は、リング1と布部2によって構成されている。したがって一般的な傘のように骨は存在しない。
【００１９】
布部は円錐状になっており、その円錐状の適当な位置、図6で示す吊下げ支持板3の部位で布を吊下げ支持板3の周りに周着する。
【００２０】
さらに、布部の下部(広い方)には、傘リング部材1を取り付ける。
【００２１】
なお、本考案の傘部600は、携帯が簡易なためと又は収納を小さくするために、傘リング部材に、弾性のある樹脂かスプリング鋼材を使用する。
このことによって、図7,8,9に示すように、傘部600が小さく収納できる。
【図面の簡単な説明】
【００２２】
【図１】本考案のパラソルの下に花を設置した図
【図２】本考案のパラソルを海辺で設置した図
【図３】図1の平面図
【図４】傘の平面図
【図５】傘の底面図
【図６】傘のＡ−Ａ'断面図
【図７】傘のリング収納図1
【図８】傘のリング収納図2
【図９】傘のリング収納図3
【図１０】ポール及び吊り下げ腕部材の平面図
【図１１】鉤部材及び吊り下げ腕部材の側面図
【図１２】Ｂ−Ｂ'の側面図
【図１３】鉤部材及び吊り下げ腕部の詳細図
【符号の説明】
【００２３】
100. 円柱基台
200. ポール(主柱)
300. 鉤部材
400. 吊り下げ腕部材
500. 吊り下げ部材
600. 傘
1.  傘リング部材
2.  布部材
3.  吊下げ支持板
4.  吊下げ用糸通し孔
5.  吊下げ糸止め部材
吊下げリング
吊掛け輪部材   
300-1. 鉤部材止めビス
300-2. 鉤部材すべりリング
400-1.  吊り下げ腕支部材
吊り下げ溝
【図１】
0003130950.tif 000003
【図２】
0003130950.tif 000004
【図３】
0003130950.tif 000005
【図４】
0003130950.tif 000006
【図５】
0003130950.tif 000007
【図６】
0003130950.tif 000008
【図７】
0003130950.tif 000009
【図８】
0003130950.tif 000010
【図９】
0003130950.tif 000011
【図１０】
0003130950.tif 000012
【図１１】
0003130950.tif 000013
【図１２】
0003130950.tif 000014
【図１３】
0003130950.tif 000015
【手続補正書】
【提出日】平成18年9月20日(2006.9.20)
【手続補正１】
【補正対象書類名】実用新案登録請求の範囲
【補正対象項目名】全文
【補正方法】変更
【補正の内容】
【実用新案登録請求の範囲】
【請求項１】
一本の主柱に複数個の傘を設けたことを特徴とするパラソル。
【請求項２】
上記主柱は、複数個に分割されたパイプが各パイプに挿入可能にし、伸縮可能にしたことを特徴とする請求項１のパラソル。
【請求項３】
さらに、上記の主柱には、複数個の吊り下げ腕支部材４００−１を付けた鉤部材３００を回転及びスライド可能に軸着したことを特徴とする請求項１または請求項２のパラソル。
【請求項４】
上記伸縮可能な吊り下げ腕支部材４００−１の先端部位には吊り下げ溝４００−２が切り込まれていることを特徴とする請求項１〜３のパラソル。
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
一本の主柱に複数個の傘を設けたことを特徴とするパラソル。
【請求項２】
上記主柱は、複数個に分割されたパイプが各パイプに挿入可能にし、伸縮可能にしたことを特徴とする請求項１のパラソル。
【請求項３】
さらに、上記の主柱には、複数個の吊り下げ腕支部材４００−１を付けた鉤部材３００を回転及びスライド可能に軸着したことを特徴とする請求項１または請求項２のパラソル。
【請求項４】
上記伸縮可能な吊り下げ腕支部材４００−１の先端部位には吊り下げ溝４００−２が切り込まれていることを特徴とする請求項１〜３のいずれか１項に記載のパラソル。